(57)【要約】【課題】  送電用構築物上に集積された営巣材料の下方に長幹支持碍子が存在する場合であっても、活線状態での撤去作業を短時間で実施できるなど、撤去作業における作業性を向上させる。【解決手段】  鉄塔の腕金に垂設された長幹支持碍子の上方に集積した営巣材料を活線状態で撤去する営巣除去用絶縁工具１０であって、離間配置された二本の絶縁棒１３間に、掻き取られた営巣材料が載置される絶縁シート１３を張設し、その絶縁シート１３の前端部に、長幹支持碍子の頂部が差し込まれる切り欠き凹部１５を形成すると共に、その切り欠き凹部１５の周縁部位に、長幹支持碍子の頂部を閉状態で抱持する一対の絶縁爪１４を開閉自在に装着した構造を具備する。【選択図】    図１
2014155366.tif 000002
【特許請求の範囲】
【請求項１】
送電用構築物に垂設された碍子の上方に集積した営巣材料を活線状態で撤去する営巣除去用絶縁工具であって、
離間配置された二本の絶縁棒間に、掻き取られた営巣材料が載置される絶縁シートを張設し、前記絶縁シートの前端部に、前記碍子の一部が差し込まれる切り欠き凹部を形成すると共に、前記切り欠き凹部の周縁部位に、前記碍子の一部を閉状態で抱持する一対の絶縁爪を開閉自在に装着したことを特徴とする営巣除去用絶縁工具。
【請求項２】
前記絶縁爪は、その基端部内側に突部および彎曲部が形成されると共に先端部内側に直線部が形成された構造を備え、絶縁シートの切り欠き凹部を碍子の一部に差し込むことにより、碍子の一部が前記突部に当接してその突部が押し込まれることで閉動作し、前記彎曲部で碍子の一部を抱持すると共に前記直線部が重ね合わさった状態となって絶縁シートの切り欠き凹部を塞ぐようにした請求項１に記載の営巣除去用絶縁工具。
【請求項３】
前記絶縁シートの後端部に、営巣材料を収納する袋体を連設した請求項１又は２に記載の営巣除去用絶縁工具。
【請求項４】
送電用構築物に垂設された碍子の上方に集積した営巣材料を絶縁工具により活線状態で撤去する営巣除去方法であって、
前記絶縁工具は、離間配置された二本の絶縁棒間に絶縁シートを張設し、前記絶縁シートの前端部に切り欠き凹部を形成すると共に前記切り欠き凹部の周縁部位に一対の絶縁爪を開閉自在に装着した構造を備え、前記営巣材料を撤去するに際して、前記絶縁シートの切り欠き凹部に碍子の一部を差し込み、前記絶縁爪を閉動作させて前記碍子の一部を絶縁爪で抱持することにより、前記碍子の一部で支持された絶縁シートを営巣材料の下方に配置した上で、前記営巣材料を掻き取って絶縁シート上に載置することを特徴とする営巣除去方法。
【発明の詳細な説明】
【技術分野】
【０００１】
本発明は、送電用構築物の高所に鳥類が営巣することにより、その送電用構築物上に集積された営巣材料を活線状態で撤去する営巣除去用絶縁工具及びこれを用いた営巣除去方法に関する。
【背景技術】
【０００２】
例えば、鉄塔などの送電用構築物に設けられて送電線を支持する腕金や、その腕金に付設される碍子の支持部材などは、カラス、鳶などの中型および大型鳥類にとって営巣場所として利用され易い。このように、鉄塔の腕金などに対して、針金、木の枝、草、葉などを集積した巣が形成されると、その営巣材料が電線などの活線部と接地された支持物間を地絡させる電気事故が発生し、電気の安定供給を阻害する場合もありうる。
【０００３】
このような電気事故を未然に防止するため、鉄塔の腕金などに形成された巣が発見されると、その鉄塔の腕金上に集積された営巣材料を速やかに撤去する必要がある。この営巣材料の撤去作業は、送電を停止した停電状態で実施されるのが通常であるが、送電を停止することができない場合には活線状態で実施する必要がある。
【０００４】
この活線状態で鉄塔の腕金上に集積された営巣材料を撤去する作業では、現場作業員の感電事故を未然に防止する目的から、従来、専用の絶縁工具を用いて実施している（例えば、特許文献１参照）。鉄塔の腕金上に集積された営巣材料に対して、絶縁棒の先端に設けられた絶縁性の受け網を営巣材料の下方に配置させ、絶縁性の操作棒により営巣材料を少量ずつ受け網に落下させるようにしている。また、鉄塔の塔体上から、ハサミ状の絶縁工具で営巣材料を少量ずつ掴み取り、塔体まで引き寄せて回収する場合もある。
【先行技術文献】
【特許文献】
【０００５】
【特許文献１】特開平１１−４６４８号公報
【発明の概要】
【発明が解決しようとする課題】
【０００６】
ところで、営巣材料を活線状態で撤去する作業では、電気事故を未然に防止する目的から、現場作業員は営巣材料を慎重に除去しなければならない。そのため、営巣材料を構成する木の枝などを一本ずつ取り除くようにしていることから、撤去作業は現場作業員にとって長時間の緊張状態を強いるものであり、現場作業員の疲労感を招くなど、現場作業員の負担となっており、作業性を改善する余地があった。
【０００７】
また、鉄塔の腕金上に営巣材料が集積された箇所の直下に長幹支持碍子が存在する場合、この長幹支持碍子が障害物となることから、営巣材料を落下させないために必要な受け網を営巣材料の下方に配置することが困難となる。その結果、営巣材料を活線状態で撤去する作業を実施することが不可能であった。
【０００８】
そこで、本発明は前述の改善点に鑑みて提案されたもので、その目的とするところは、送電用構築物上に集積された営巣材料の下方に垂設された碍子が存在する場合であっても、活線状態での撤去作業を短時間で実施できるなど、作業性を向上させ得る営巣除去用絶縁工具及びこれを用いた営巣除去方法を提供することにある。
【課題を解決するための手段】
【０００９】
前述の目的を達成するための技術的手段として、本発明は、送電用構築物に垂設された碍子の上方に集積した営巣材料を活線状態で撤去する営巣除去用絶縁工具であって、離間配置された二本の絶縁棒間に、掻き取られた営巣材料が載置される絶縁シートを張設し、その絶縁シートの前端部に、碍子の一部が差し込まれる切り欠き凹部を形成すると共に、その切り欠き凹部の周縁部位に、碍子の一部を閉状態で抱持する一対の絶縁爪を開閉自在に装着したことを特徴とする。
【００１０】
また、本発明は、送電用構築物に垂設された碍子の上方に集積した営巣材料を絶縁工具により活線状態で撤去する営巣除去方法であって、絶縁工具は、離間配置された二本の絶縁棒間に絶縁シートを張設し、その絶縁シートの前端部に切り欠き凹部を形成すると共にその切り欠き凹部の周縁部位に一対の絶縁爪を開閉自在に装着した構造を備え、営巣材料を撤去するに際して、絶縁シートの切り欠き凹部に碍子の一部を差し込み、絶縁爪を閉動作させて碍子の一部を絶縁爪で抱持することにより、碍子の一部で支持された絶縁シートを営巣材料の下方に配置した上で、営巣材料を掻き取って絶縁シート上に載置することを特徴とする。
【００１１】
本発明に係る営巣除去用絶縁工具およびこれを用いた営巣除去方法では、送電用構築物上に集積された営巣材料の下方に垂設された碍子が存在する場合であっても、営巣材料の下方に絶縁工具の絶縁シートを安定して配置することができ、営巣材料を一括して掻き取ることができるので、活線状態での撤去作業を短時間で実施できるなど、作業性の向上が図れる。
【００１２】
本発明における絶縁爪は、その基端部内側に突部および彎曲部が形成されると共に先端部内側に直線部が形成された構造を備え、絶縁シートの切り欠き凹部を碍子の一部に差し込むことにより、碍子の一部が突部に当接してその突部が押し込まれることで閉動作し、彎曲部で碍子の一部を抱持すると共に直線部が重ね合わさった状態となって絶縁シートの切り欠き凹部を塞ぐようにすることが望ましい。このようにすれば、絶縁シートの切り欠き凹部に碍子の一部を差し込むだけで、その碍子の一部が当接する突部を押し込むことで絶縁爪を自動的に閉動作させることができ、撤去作業の簡略化が図れる。また、絶縁爪の彎曲部で碍子の一部を抱持すると共に直線部が重ね合わさった状態となって絶縁シートの切り欠き凹部を塞ぐことにより、絶縁シートの切り欠き凹部から碍子の一部が抜け出ることを阻止できる。
【００１３】
本発明では、絶縁シートの後端部に、営巣材料を収納する袋体を連設した構造が望ましい。このようにすれば、掻き取られて絶縁シートに載置した営巣材料を袋体に速やかに収納することができ、営巣材料の回収が迅速に行え、撤去作業の簡略化が図れる。
【発明の効果】
【００１４】
本発明によれば、送電用構築物上に集積された営巣材料の下方に垂設された碍子が存在する場合であっても、営巣材料の下方に絶縁シートを安定して配置することができ、営巣材料を一括して掻き取ることができるので、活線状態での撤去作業を短時間で実施できるなど、作業性の向上が図れる。このように、現場作業員の疲労も軽減でき、実用的価値が大きな営巣除去用絶縁工具およびこれを用いた営巣除去方法を提供できる。
【図面の簡単な説明】
【００１５】
【図１】本発明に係る営巣除去用絶縁工具の実施形態を示す平面図である。
【図２】（Ａ）は図１の正面図、（Ｂ）は図１の側面図である。
【図３】営巣除去用絶縁工具を長幹支持碍子に取り付けた状態を示す正面図である。
【図４】図１の営巣除去用絶縁工具で、（Ａ）は絶縁爪を開いた状態を示す要部拡大平面図、（Ｂ）は絶縁爪を閉じた状態を示す要部拡大平面図である。
【図５】営巣除去用絶縁工具の絶縁シートに営巣材料を掻き取って袋体に収納する状態を示す正面図である。
【発明を実施するための形態】
【００１６】
本発明に係る営巣除去用絶縁工具及びこれを用いた営巣除去方法の実施形態を、図１〜図５を参照しながら以下に詳述する。以下の実施形態では、鉄塔などの送電用構築物として鉄塔の腕金を例示し、その鉄塔の腕金に長幹支持碍子が垂下された状態で、本発明の営巣除去用絶縁工具を使用する場合を例示する。なお、本発明は、鉄塔の腕金以外の他の送電用構築物に、長幹支持碍子以外の他の碍子が垂設された場合にも適用可能である。
【００１７】
この実施形態における営巣除去用絶縁工具１０（以下、単に絶縁工具と称す）は、鉄塔２３（図３参照）の腕金２４に垂下された長幹支持碍子２５の上方に集積された営巣材料２６を活線状態で撤去するためのものであり、図１および図２（Ａ）（Ｂ）に示すように、離間配置された二本の長尺な絶縁棒１１と、その絶縁棒１１間に止め具１２により張設され、掻き取られた営巣材料２６が載置される可撓性の絶縁シート１３と、その絶縁シート１３の前端部に開閉自在に装着され、長幹支持碍子２５の一部である頂部２７を閉状態で抱持する一対の絶縁爪１４とで主要部が構成されている。前述の絶縁シート１３の前端部には、長幹支持碍子２５の頂部２７が差し込まれるＵ字状の切り欠き凹部１５が形成されている。一対の絶縁爪１４は、アクリル板等の樹脂製平板状部材で、絶縁シート１３の切り欠き凹部１５の奥側周縁部位で後述の絶縁ベース１７に支点１６を中心として回動可能に取り付けられている。
【００１８】
絶縁シート１３の裏面側で切り欠き凹部１５の周縁部位に絶縁ベース１７がねじ止め等により固着されている。絶縁ベース１７は、アクリル板等の樹脂製平板状部材で、一対で構成することによりＵ字状をなす。なお、絶縁ベース１７は、Ｕ字状をなす一体物であってもよい。この絶縁ベース１７は、絶縁シート１３の切り欠き凹部１５の変形を防止してその切欠き凹部１５の周縁部位を平坦状に維持する。これにより、絶縁シート１３の切り欠き凹部１５に長幹支持碍子２５の頂部２７がスムーズに差し込まれると共に、絶縁シート１３上で絶縁爪１４をスムーズに開閉動作させることを可能としている。また、絶縁シート１３の表面側に配された一対の絶縁爪１４は、絶縁シート１３を介してその裏面側に配された絶縁ベース１７に回動可能に枢着されている。
【００１９】
一方、一対の絶縁爪１４は、同一形状を有する平板状部材を、絶縁シート１３の切り欠き凹部１５の中心線を中心として線対称に配置したものである。両方の絶縁爪１４の基端部内側には、突部１８および彎曲部１９が形成されている。突部１８は、長幹支持碍子２５が絶縁シート１３の切り欠き凹部１５に差し込まれた時に長幹支持碍子２５の頂部２７と当接する。また、彎曲部１９は、絶縁爪１４の閉動作により長幹支持碍子２５の頂部２７を抱持する。また、両方の絶縁爪１４の先端部内側には、絶縁爪１４が閉じた状態で重なり合うように直線部２０が形成されている。このように絶縁爪１４の直線部２０が閉状態で重なり合うように、一対の絶縁爪１４は、絶縁ベース１７および絶縁シート１３に対して段差を持った状態で配置されている。
【００２０】
なお、絶縁シート１３の後端部に連設して、営巣材料２６を収納する袋体２１が設けられている。この袋体２１は、ビニール袋などの絶縁性部材である。このように、掻き取られて絶縁シート１３に載置した営巣材料２６を袋体２１に速やかに収納することで、営巣材料２６の回収が迅速に行え、撤去作業の簡略化が図れる。掻き取られて絶縁シート１３に載置した営巣材料２６は、その絶縁シート１３上を滑らせて袋体２１の開口部２２から落とし込む。
【００２１】
以上の構造からなる絶縁工具１０を用いた営巣材料２６の撤去作業は、以下の要領でもって行われる。この実施形態では、図３に示すように、鉄塔２３の腕金２４の先端部に長幹支持碍子２５が垂下された状態で、その長幹支持碍子２５の上方で腕金２４の先端部に集積された営巣材料２６を撤去する場合について詳述する。
【００２２】
まず、現場作業員が鉄塔２３へ昇って営巣材料２６が存在する腕金２４付近に達した時点で、現場作業員が絶縁工具１０の絶縁棒１１の基端部を把持し、図３に示すように、その絶縁棒１１を水平状態あるいは先端部側が若干高くなるように傾斜させた状態で長幹支持碍子２５の頂部２７に向けて張り出させ、絶縁シート１３の切り欠き凹部１５に長幹支持碍子２５の頂部２７を差し込む。この時、一対の絶縁爪１４は開いた状態にある。
【００２３】
この状態から、絶縁シート１３の切り欠き凹部１５の最奥部まで長幹支持碍子２５の頂部２７を差し込むと、図４（Ａ）に示すように、長幹支持碍子２５の頂部２７が絶縁爪１４の基端部にある突部１８に当接し、その突部１８が長幹支持碍子２５の頂部２７で押し込まれることにより、図４（Ｂ）に示すように、一対の絶縁爪１４が閉動作する。このように、絶縁爪１４を自動的に閉動作させることにより、撤去作業の簡略化が図れる。
【００２４】
以上のようにして絶縁爪１４が閉じた状態により、絶縁爪１４の彎曲部１９で長幹支持碍子２５の頂部２７を抱持すると共に、絶縁爪１４の直線部２０が重ね合わさった状態となって絶縁シート１３の切り欠き凹部１５を塞ぐことによりその切り欠き凹部１５から長幹支持碍子２５の頂部２７が抜け出ることを阻止する。なお、絶縁爪１４による抱持箇所は、長幹支持碍子２５の頂部２７に限らず、例えば、長幹支持碍子２５の襞部と襞部との間に位置する小径中間部であってもよい。
【００２５】
以上の要領でもって、長幹支持碍子２５の頂部２７に絶縁シート１３の前端部が支持されることにより、その長幹支持碍子２５の本体に邪魔されることなく、絶縁シート１３を営巣材料２６の直下に安定した状態で配置することができる。その上で、図３に示すように、絶縁工具１０を操作する現場作業員とは別の現場作業員が操作棒２８を利用することにより、営巣材料２６を絶縁工具１０の絶縁シート１３上に一括して掻き取る。この操作棒２８は、例えば、絶縁棒２９の先端に、絶縁性を有する熊手状の掻き取り部３０を設けたものである。
【００２６】
このようにして、掻き取られた営巣材料２６は、図５に示すように、絶縁シート１３上に載置される。その後、絶縁シート１３の後端側を低くするように絶縁棒１１を傾斜させるか、あるいは、操作棒２８を利用することにより、絶縁シート１３上に載置された営巣材料２６を袋体２１に落とし込んで回収する。
【００２７】
以上のようにして、鉄塔２３の腕金２４に集積された営巣材料２６の下方に長幹支持碍子２５が存在する場合であっても、営巣材料２６の下方に絶縁シート１３を安定して配置することができ、営巣材料２６を一括して掻き取ることができるので、活線状態での撤去作業を短時間で実施できるなど、作業性の向上が図れる。このように、現場作業員の疲労も軽減でき、実用的価値が大きな絶縁工具１０を提供できる。
【００２８】
本発明は前述した実施形態に何ら限定されるものではなく、本発明の要旨を逸脱しない範囲内において、さらに種々なる形態で実施し得ることは勿論のことであり、本発明の範囲は、特許請求の範囲によって示され、さらに特許請求の範囲に記載の均等の意味、および範囲内のすべての変更を含む。
【符号の説明】
【００２９】
１０  （営巣除去用）絶縁工具
１１  絶縁棒
１３  絶縁シート
１４  絶縁爪
１５  切り欠き凹部
１８  突部
１９  彎曲部
２０  直線部
２１  袋体
２３  送電用構築物（鉄塔の腕金）
２５  （長幹支持）碍子
２６  営巣材料
２７  碍子の一部（頂部）
【図１】
2014155366.tif 000003
【図２】
2014155366.tif 000004
【図３】
2014155366.tif 000005
【図４】
2014155366.tif 000006
【図５】
2014155366.tif 000007